(57)【要約】【課題】電断によって遊技者が特典を得る機会を逃すことが抑制可能な遊技機の提供を目的とする。【解決手段】本発明に係る遊技機１０は、遊技球が流下可能な遊技領域Ｒ１のうち右側流下領域Ｒ３を流下する遊技球が入球可能であって、その入球に起因して遊技者に特典を付与可能な大入賞口１５やＶ入賞部２１を有する。遊技機１０では、大当り遊技中に遊技機１０が電断された場合、その電源復旧時に右側流下領域Ｒ２に遊技球を流下させることを遊技者に推奨する右側流下推奨表示Ｈ１が表示画面１３Ｇに表示される。【選択図】図７
2018139891.tif 000002
【特許請求の範囲】
【請求項１】
遊技球が流下可能な遊技領域と、
前記遊技領域のうち第１の流下領域を流下する遊技球が入球可能な第１の入球部位と、
前記遊技領域のうち第２の流下領域に設けられ、遊技球の入球に起因して遊技者に特典を付与可能な第２の入球部位と、
通常は、前記第２の入球部位への入球を規制し、前記第１の入球部位への入球に起因して予め定められた入球許容期間の間だけ前記第２の入球部位への入球を許容する入球制御部材と、を有し、
前記入球許容期間に、前記第２の流下領域に遊技球を流下させることを遊技者に推奨する流下推奨手段と、を有する遊技機であって、
前記流下推奨手段は、前記入球許容期間に当該遊技機が電断された場合には、電源復旧時に、前記第２の流下領域に遊技球を流下させることを遊技者に推奨する。
【発明の詳細な説明】
【技術分野】
【０００１】
本発明は、遊技者に特典を付与可能な入球部位を特定の流下領域に備えた遊技機に関する。
【背景技術】
【０００２】
特許文献１の遊技機では、特定の条件が成立したときに、特定の流下領域に遊技球を流下させることを遊技者に推奨する。
【先行技術文献】
【特許文献】
【０００３】
【特許文献１】特開２０１６−１９３２６４号公報（段落［０２７８］、図３４）
【発明の概要】
【発明が解決しようとする課題】
【０００４】
特許文献１の遊技機では、特定の流下領域に遊技球を流下させているときに遊技機が電断されると、電源復旧時に遊技者が特典を得る機会を逃すという問題が起こり得た。
【０００５】
本発明は、上記事情に鑑みてなされたもので、電断によって遊技者が特典を得る機会を逃すことが抑制可能な遊技機の提供を目的とする。
【課題を解決するための手段】
【０００６】
第１の手段は、遊技球が流下可能な遊技領域と、前記遊技領域のうち第１の流下領域を流下する遊技球が入球可能な第１の入球部位と、前記遊技領域のうち第２の流下領域に設けられ、遊技球の入球に起因して遊技者に特典を付与可能な第２の入球部位と、通常は、前記第２の入球部位への入球を規制し、前記第１の入球部位への入球に起因して予め定められた入球許容期間の間だけ前記第２の入球部位への入球を許容する入球制御部材と、を有し、前記入球許容期間に、前記第２の流下領域に遊技球を流下させることを遊技者に推奨する流下推奨手段と、を有する遊技機であって、前記流下推奨手段は、前記入球許容期間に当該遊技機が電断された場合には、電源復旧時に、前記第２の流下領域に遊技球を流下させることを遊技者に推奨する。
【発明の効果】
【０００７】
本発明によれば、電断によって遊技者が特典を得る機会を逃すことが抑制可能となる。
【図面の簡単な説明】
【０００８】
【図１】本発明の一実施形態に係る遊技機の正面図
【図２】遊技板の正面図
【図３】大当り遊技中における表示画面周辺の正面図
【図４】（Ａ）時短遊技中の表示画面の表示を説明するための図、（Ｂ）時短遊技終了時の表示画面の表示を説明するための図
【図５】遊技機の背面図
【図６】遊技機の電気的構成を示すブロック図
【図７】電源復旧時における表示画面周辺の正面図
【図８】変形例における電源復旧時の表示画面の正面図
【発明を実施するための形態】
【０００９】
以下、本発明の一実施形態を図面に基づいて説明する。図１に示されるように、本実施形態の遊技機１０はパチンコ遊技機であって、前側が前面枠１０Ｚにて覆われており、その前面枠１０Ｚに形成されたガラス窓１０Ｗを通して遊技板１１の遊技領域Ｒ１が視認可能になっている。なお、以下の説明において、特記しない限り「右」及び「左」とは、遊技機１０を前方から見た場合の「右」及び「左」を指すものとする。
【００１０】
ガラス窓１０Ｗの上方の両側には、スピーカ２９Ｓ，２９Ｓが備えられている。また、前面枠１０Ｚのうちガラス窓１０Ｗより下方には、上皿２６と下皿２７が上下２段にして設けられ、下皿２７の右側には操作ハンドル２８が設けられている。操作ハンドル２８を回動操作すると、上皿２６に収容された遊技球が遊技領域Ｒ１に向けて弾き出される。
【００１１】
図２に示されるように、遊技領域Ｒ１は全体が略円形状となっていて、ガイドレール１２により囲まれている。遊技板１１のうち遊技領域Ｒ１の中央には、表示開口１１Ｈが貫通形成され、この表示開口１１Ｈを通して、表示装置１３の表示画面１３Ｇが前方に臨んでいる。
【００１２】
表示開口１１Ｈの開口縁には、表示装飾枠２３が取り付けられている。表示装飾枠２３は、遊技板１１の前面側から表示開口１１Ｈに嵌め込まれて遊技板１１の前面から突出し、遊技領域Ｒ１を流下する遊技球が表示装飾枠２３の内側に進入することを規制している。
【００１３】
表示開口１１Ｈは、遊技領域Ｒ１の横方向の中間且つ上端寄り部分に配置され、遊技領域のうち表示装飾枠２３の左側と右側と下側に、遊技球が流下可能な左側流下領域Ｒ２と右側流下領域Ｒ３と下側流下領域Ｒ４が形成されている。また、表示装飾枠２３の上部には、ガイドレール１２に沿って円弧状に延びた上側円弧壁２５が備えられ、この上側円弧壁２５とガイドレール１２との間に、遊技球が１つずつ通過可能な上側連絡流路２５Ｒが形成されている。さらに、表示装飾枠２３の右側部には、表示開口１１Ｈとガイドレール１２の右側端部との間を隙間なく埋めると共に、上側連絡流路２５Ｒと右側流下領域Ｒ３との間を連絡する連絡流路２４Ｒを有する連絡流路構成部２４が備えられている。
【００１４】
右側流下領域Ｒ３には、始動ゲート１８が設けられている。右側流下領域Ｒ３のうち始動ゲート１８の下側部分には、大入賞口１５が設けられている。下側流下領域Ｒ４における左右方向の中央部には、第１の始動入賞口１４Ａ、第２の始動入賞口１４Ｂ及びアウト口１６が、上から順に並べて設けられている。また、遊技領域Ｒ１には、始動入賞口１４Ａ，１４Ｂ及び大入賞口１５のほかに、複数の一般入賞口２０が備えられている。各入賞口１４Ａ，１４Ｂ，１５，２０の何れにも入賞しなかった遊技球は、下側流下領域Ｒ４の下端に配置されたアウト口１６に全て取り込まれる。
【００１５】
次に所要の各部位についてさらに詳説する。一般入賞口２０は、所謂、ポケット構造をなして、遊技板１１の前面から突出した部材上面又は部材側面に開放しており、遊技球が丁度１つ入球可能な大きさで開口している。そして、一般入賞口２０に遊技球が入ると、所定数の遊技球が賞球として上皿２６に払い出される。
【００１６】
始動ゲート１８は、遊技球が潜って通過可能な門形構造をなし、遊技球が始動ゲート１８を通過すると普通図柄当否判定が行われる。普通図柄当否判定の判定結果は、図示しない普通図柄表示部に表示される。
【００１７】
第１の始動入賞口１４Ａは、一般入賞口２０と同様のポケット構造をなし、その上面の開口部に遊技球が入球すると特別図柄当否判定が行われる。特別図柄当否判定の結果は、表示画面１３Ｇと図示しない特別図柄表示部に表示される。なお、第１の始動入賞口１４Ａは、左側流下領域Ｒ２を流下する遊技球が入球可能であって、右側流下領域Ｒ３を流下する遊技球が入球困難となっている。
【００１８】
第２の始動入賞口１４Ｂは、前側に開放し、回動扉１４Ｔによって開閉される。具体的には、回動扉１４Ｔは、通常は、鉛直に起立した閉位置に配置され、上述の普通図柄当否判定の結果が当りとなったことを条件にして、下端部を中心に回動し、前倒しとなった開位置に配置される。開位置に配置された回動扉１４Ｔは、上方から流下する遊技球を受け止めて第２の始動入賞口１４Ｂへと案内する。
【００１９】
各始動入賞口１４Ａ，１４Ｂに遊技球が入球すると、所定数の遊技球が賞球として上皿２６に払い出されると共に、特別図柄当否判定が行われる。即ち、本実施形態では、各始動入賞口１４Ａ，１４Ｂに遊技球が入球することで、特別図柄当否判定の判定権利が発生する。特別図柄当否判定の判定結果は、判定権利の使用に伴って、表示画面１３Ｇで報知される。詳細には、判定権利が用いられると、表示画面１３Ｇでは、判定結果の報知に先立って、判定結果に関連した判定演出が行われる。そして、判定結果が大当りの場合には、判定演出の終了後、大当り遊技状態となって大当り遊技が実行される。判定結果が外れの場合には、大当り遊技状態ではない通常の遊技状態が続く。
【００２０】
大入賞口１５は、横長矩形に形成されて、通常の遊技状態では、可動扉１５Ｔにて閉塞されている。大当り遊技状態となって大当り遊技が行われると、可動扉１５Ｔが所定期間に亘って前側に倒されて大入賞口１５が開放し、可動扉１５Ｔを案内にして、大入賞口１５に多くの遊技球が入賞可能となる。大入賞口１５に遊技球が入球すると、所定数の遊技球が賞球として上皿２６に払い出される。大当り遊技では、予め設定された回数だけ大入賞口１５が開放されるラウンド遊技が、実行される大当り遊技に応じた回数だけ実行される。１回のラウンド遊技は、予め定められた上限数の遊技球が大入賞口１５に入球するか又は予め設定されたラウンド遊技時間が経過すると、終了する。
【００２１】
表示画面１３Ｇには、上述したように、特別図柄当否判定に関連した判定演出が表示される。具体的には、表示画面１３Ｇの中央部には、３つの特別図柄１３Ａ，１３Ｂ，１３Ｃが横並びに停止表示されている。これら各特別図柄１３Ａ〜１３Ｃは、例えば、数字や文字等を表記した複数種類のもので構成されており、通常は、各特別図柄１３Ａ〜１３Ｃごと、所定の種類のものが停止表示されている。そして、始動入賞口１４Ａ，１４Ｂに遊技球が入球すると、これら３つの特別図柄１３Ａ〜１３Ｃが、変動表示（例えば、上下方向にスクロール表示）され、所定時間経過後に、例えば、左、右、中の順に停止表示される。そして、停止した特別図柄１３Ａ〜１３Ｃの組合せにより、特別図柄当否判定の判定結果を報知するようになっている、具体的には、特別図柄１３Ａ〜１３Ｃが全て同じ図柄（ゾロ目）の場合に、大当りであることを示し、特別図柄１３Ａ〜１３Ｃがゾロ目以外の組合せの場合に、外れであることを示すようになっている。
【００２２】
遊技機１０では、通常の遊技状態では、普通図柄当否判定で当りとなる確率は低く設定されていて、大当り遊技の終了後、通常の遊技状態よりも普通図柄当否判定で当りとなる確率が高い「時短遊技」に突入する。即ち、遊技機１０では、大当り遊技を契機として、通常の遊技状態から時短遊技に移行する。そして、遊技機１０では、通常の遊技状態においては、左側流下領域Ｒ２を流下させるように遊技球を打ち出す、所謂、「左打ち」を行い、時短遊技中においては、右側流下領域Ｒ３を流下させるように遊技球を打ち出す、所謂、「右打ち」を行う、というように、２種類の打ち方を遊技者に提供可能となっている。時短遊技は、大当り遊技の終了後に使用される判定権利の数が規定上限数（例えば、１００）に達するか、或いは、その時短遊技中に「大当たり遊技」へ移行した場合に終了する。なお、本実施形態の遊技機１０では、時短遊技として、低確率時短遊技と高確率時短遊技の２種類が設けられている。高確率時短遊技では、低確率時短遊技よりも特別図柄当否判定で当りとなる確率が高くなっている。
【００２３】
大当り遊技の終了後に突入する時短遊技が低確率時短遊技と高確率時短遊技の何れに設定されるかは、当該大当り遊技中に行われるＶ入賞チャンスの結果によって決定される。Ｖ入賞チャンスでは、右側流下領域Ｒ３に設けられたＶ入賞部２１（図２）に遊技球が入球可能となる。具体的には、Ｖ入賞部２１は、可動翼片２１Ｈによって開閉される入球口２１Ａを有し、Ｖ入賞チャンスが行われると、入球口２１Ａが開放される。Ｖ入賞部２１の内部には、通常口とＶ確定口（共に図示せず）が設けられると共に、入球口２１Ａに入球した遊技球を通常口とＶ確定口の何れかに振り分ける振分機構（図示せず）が備えられている。そして、Ｖ入賞チャンスでＶ確定口に遊技球が入球すると、当該大当り遊技の終了後に突入する時短遊技が高確率時短遊技に設定される。Ｖ入賞チャンスでＶ確定口に遊技球が入球しなかった場合には、大当り遊技終了後の時短遊技として低確率時短遊技が設定される。このように、本実施形態では、大当り遊技として、Ｖ入賞チャンスでＶ確定口に入球するＶ通過大当りと、Ｖ確定口に入球しないＶ非通過大当りと、が設けられている。
【００２４】
なお、詳細には、本実施形態の遊技機１０では、大当りとして、入球口２１Ａに入球した遊技球がＶ確定口に振り分けられ易い高確率Ｖ通過大当りと、Ｖ通過高確率大当りよりも入球口２１Ａに入球した遊技球がＶ確定口に振り分けられ難いＶ通過低確率大当りの２種類が設けられている。第１の始動入賞口１４Ａへの入球に基づく特別図柄当否判定での大当りは、所定の確率（例えば、１／２）でＶ通過高確率大当りとなる。第２の始動入賞口１４Ｂへの入球に基づく特別図柄当否判定での大当りは全て、Ｖ通過高確率大当りとなっている。
【００２５】
ところで、本実施形態の遊技機１０では、上述の如く、大当り遊技中に開放される大入賞口１５及びＶ入賞部２１が右側流下領域Ｒ３に配置されている。また、大当り遊技は、始動入賞口１４Ａ，１４Ｂへの入球に基づく特別図柄当否判定で大当りとなったときに実行され、通常の遊技状態では、第１の始動入賞口１４Ａへの入球に比べて、第２の始動入賞口１４Ｂへの入球が困難となっている。従って、通常の遊技状態では、遊技球が左側流下領域Ｒ２を流下し、大当り遊技中では、遊技球が右側流下領域Ｒ３を流下することが望ましい。このように、遊技機１０では、大当り遊技中に遊技球を流下させる領域（右側流下領域Ｒ３）が通常の遊技状態において遊技球を流下させる領域（左側流下領域Ｒ２）と異なっている。
【００２６】
ここで、遊技機１０では、大当り遊技中に左打ちが行われると、大当り遊技で遊技者に付与可能な利益（賞球）が損なわれる可能性がある。特に、大当り遊技中に行われるＶ入賞チャンスでは、遊技球がＶ確定口を通過するか否かに依存して、大当り遊技の終了後に突入する時短遊技の種類（低確率時短遊技と高確率時短遊技）が決定されるので、Ｖ入賞チャンス中にＶ入賞部２１に遊技球が入球しないと、遊技者の損失が大きくなる。このような状況に鑑みて、遊技機１０では、大当り遊技が開始されると、遊技者に右打ちを推奨する情報が出力される。具体的には、図３に示されるように、右側流下領域Ｒ３に遊技球を流下させることを推奨する右側流下推奨表示Ｈ１が表示画面１３Ｇに表示される。右側流下推奨表示Ｈ１は、右向きの矢印の中に「右打ち」の文字が付加された構成になっていて、表示画面１３Ｇの中央部に表示される。なお、右側流下推奨表示Ｈ１の表示と合わせて、スピーカ２９Ｓ（図１）から右打ちを推奨する音声（例えば、「右打ちして下さい」というメッセージ）が出力されてもよい。
【００２７】
なお、図４（Ａ）に示されるように、右側流下推奨表示Ｈ１は、時短遊技中にも表示される。時短遊技中の右側流下推奨表示Ｈ１は、特別図柄１３Ａ〜１３Ｃの邪魔とならないように、大当り遊技中のときよりも縮小されて表示画面１３Ｇの隅部に表示される。
【００２８】
また、遊技機１０では、時短遊技中に規定上限数の判定権利が使用されて時短遊技が終了すると、左側流下領域Ｒ２に遊技球を流下させることを推奨する情報が出力される。具体的には、図４（Ｂ）に示されるように、左側流下推奨表示Ｈ２が表示画面１３Ｇに表示される。左側流下推奨表示Ｈ２は、特別図柄１３Ａ〜１３Ｃの邪魔とならないように、表示画面１３Ｇの隅部に表示される。なお、左側流下推奨表示Ｈ２の表示と合わせて、スピーカ２９Ｓ（図１）から左打ちを推奨する音声（例えば、「左打ちに戻して下さい」というメッセージ）が出力されてもよい。
【００２９】
次に、遊技機１０の電気的な構成について説明する。図５に示されるように、遊技機１０の後面中央には、主制御回路５０やサブ制御回路５２、表示制御回路５４、払出制御回路５９等の各種回路が備えられている。
【００３０】
図６に示されるように、主制御回路５０は、ＣＰＵ５０Ａ、ＲＡＭ５０Ｂ及びＲＯＭ５０Ｃを有していて、特別図柄当否判定や賞球の払い出し等の遊技に関わる主制御を行う。ＲＡＭ５０Ｂには、当否判定の結果や遊技状態等の遊技に関する情報が一時的に記憶される。サブ制御回路５２は、主制御回路５０と同様にＣＰＵ５２ＡとＲＡＭ５２Ｂ及びＲＯＭ５２Ｃを有し、遊技状況に応じて実行される演出に関する制御を行う。表示制御回路５４は、表示装置１３の一部として備えられ、サブ制御回路５２から受けた信号をＣＰＵ５４Ａで処理すると共に、ＣＰＵ５４Ａの処理結果に基づき、ＶＤＰ（図示せず）が画像データを生成して、これを表示画面１３Ｇへと出力する。音声制御回路５５は、サブ制御回路５２から出力される制御信号に基づき、スピーカ２９Ｓ，２９Ｓから発生されるＢＧＭや演出時の音声の選択を行い、音声を制御する。払出制御回路５９は、主制御回路５０から受けた信号に基づき、所定数の遊技球を賞球として、上皿２６に払い出す。
【００３１】
なお、サブ制御回路５２は、大当り遊技及び時短遊技が開始されるときに、右側流下推奨表示Ｈ１を表示させる信号を表示制御回路５４に出力し、時短遊技が終了したときに、左側流下推奨表示Ｈ２を表示させる信号を表示制御回路５４に出力する。
【００３２】
上記した各種回路は、電源装置７０から受電して作動する。詳細には、遊技機１０が設置される遊技場には、ＡＣ２４Ｖ設備電源が備えられている。そして、遊技機１０の電力ケーブル８２（図５）が、そのＡＣ２４Ｖ設備電源に接続されている。ＡＣ２４Ｖ設備電源からの電力は、電源装置７０に給電される。なお、電源装置７０には主電源スイッチ７１（図５）が備えられていて、この主電源スイッチ７１の操作により、ＡＣ２４Ｖ設備電源からの受電をオンオフすることが可能となっている。
【００３３】
電源装置７０には、バックアップ回路７２が備えられている。バックアップ回路７２は、例えば、蓄電回路としてのコンデンサを備えてなり、常には、受電回路（図示せず）から電力を受けて充電されると共に、ＲＡＭ５１Ｃに電力を供給している。そして、バックアップ回路７２は、受電回路からの給電が停止しても、充電された電力によってＲＡＭ５１Ｃの記憶を保持する。
【００３４】
さて、遊技機１０では、大当り遊技中に遊技機１０が電断されると、電源が復旧するときに、通常の遊技状態で推奨される左打ちが行われて、大当り遊技中に得られる遊技者の利益が損なわれるという問題が起こり得る。このような問題を解決すべく、遊技機１０では、電源復旧時にも、右打ちを遊技者に推奨する情報が出力される。
【００３５】
具体的には、遊技機１０では、図７に示されるように、右側流下推奨表示Ｈ１が表示画面１３Ｇに表示される。電源復旧中においては、表示画面１３Ｇの中央部（詳細には、画面中央より若干上側の領域）に、遊技機１０が電源復旧中であることを遊技者に知らせるステータス表示Ｈ３が表示される。右側流下推奨表示Ｈ１は、ステータス表示Ｈ３との干渉を避ける位置（詳細には、ステータス表示Ｈ３の下側の領域）に表示される。このとき、右側流下推奨表示Ｈ１の表示と合わせて、スピーカ２９Ｓ（図１）から右打ちを推奨する音声（例えば、「右打ちして下さい」というメッセージ）が出力されてもよい。
【００３６】
なお、詳細には、電断時に大当り遊技中であったか否かは、バックアップ回路７２（図４）に記憶されている情報に基づいて判断される。そして、サブ制御回路５２が右側流下推奨表示Ｈ１を表示させる信号を表示制御回路５４に出力する。本実施形態の例では、電源復旧時に表示される右側流下推奨表示Ｈ１の位置又は大きさが、大当り遊技中や時短遊技中に表示される右側流下推奨表示Ｈ１の位置又は大きさと異なっているが（図３，７）、同じであってもよい。
【００３７】
このように、本実施形態の遊技機１０では、右打ちが推奨される大当り遊技中に電断されても、電源復旧時に、右打ちを遊技者に推奨する右側流下推奨表示Ｈ１が表示画面１３Ｇに表示されるので、大当り遊技中に得られる遊技者の利益が電断によって損なわれることが抑制可能となる。しかも、遊技機１０では、大当り遊技中に遊技球を流下させるべき右側流下領域Ｒ３が、通常時に遊技球を流下させるべき左側流下領域Ｒ２とは異なるため、電断によって遊技者が特典を得る機会を逃す可能性が一層高くなるところ、電源復旧時に右側流下領域Ｒ３に遊技球を流下させることを遊技者に推奨することで、電断による遊技者の不利益が抑えられる。
【００３８】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００３９】
（１）図８に示されるように、通常の遊技状態で電断された場合に、電源復旧時に表示画面１３Ｇに左側流下推奨表示Ｈ２が表示されるようにしてもよい。
【００４０】
（２）電源復旧時に右側流下推奨表示Ｈ１の表示を行うのは、大当り遊技が開始されて大当たり遊技が終了するまでの間に電断された場合でもよいし、大当り遊技が開始されてＶ入賞チャンスが終了するまでの間に電断された場合のみでもよい。
【００４１】
（３）遊技機１０にＶ入賞部２１を設けず、Ｖ入賞チャンスがなくてもよい。
【００４２】
（４）上記実施例では、右側流下推奨表示Ｈ１の表示と合わせて右打ちを推奨する音声が出力されてもよいとされていたが、右側流下推奨表示Ｈ１を表示せずに右打ちを推奨する音声のみが出力されてもよい。
【００４３】
（５）Ｖ入賞部２１及び大入賞口１５を左側流下領域Ｒ２に設け、通常は右打ちをして大当り遊技中は左打ちをするようにしてもよい。この場合、電源復旧時には左側流下推奨表示Ｈ２が表示される。
【００４４】
＜付記１＞
以下、上述した各実施の形態から抽出される発明群の特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００４５】
＜特徴Ａ群＞
以下の特徴Ａ群は、「遊技者に特典を付与可能な入球部位を特定の流下領域に備えた」遊技機に関し、「特許文献Ａ（特開２０１６−１９３２６４号公報（段落［０２７８］、図３４））の遊技機では、特定の条件が成立したときに、特定の流下領域に遊技球を流下させることを遊技者に推奨する。」という背景技術について、「特許文献Ａの遊技機では、特定の流下領域に遊技球を流下させているときに遊技機が電断されると、電源復旧時に遊技者が特典を得る機会を逃すという問題が起こり得た。」という課題をもってなされたものである。
【００４６】
［特徴Ａ１］
遊技球が流下可能な遊技領域（遊技領域Ｒ１）のうち特定の流下領域（右側流下領域Ｒ３）を流下する遊技球が入球可能であって、その入球に起因して遊技者に特典を付与可能な特定入球部位（大入賞口１５、Ｖ入賞部２１）と、
通常は、前記特定入球部位への入球を規制し、特定の条件（特別図柄当否判定で大当りになること）が成立したときに、予め定められた入球許容期間（大当り遊技の間、Ｖ入賞チャンスの間）の間だけ前記特定入球部位への入球を許容する入球制御部材（可動扉１５Ｔ、可動翼片２１Ｈ）と、
前記特定の条件が成立したときに、前記特定の流下領域に遊技球を流下させることを遊技者に推奨する流下推奨手段（サブ制御回路５２）と、を有する遊技機（遊技機１０）であって、
前記流下推奨手段は、前記入球許容期間に当該遊技機が電断された場合には、電源復旧時に、前記特定の流下領域に遊技球を流下させることを遊技者に推奨する。
【００４７】
本特徴に示す構成によれば、電断によって遊技者が特典を得る機会を逃すことが抑制可能となる。
【００４８】
［特徴Ａ２］
特徴Ａ１に記載の遊技機において、
遊技に関する当否判定を行う当否判定手段（主制御回路５０）と、
前記当否判定の結果が当りとなったときに、大当り遊技を実行する大当り遊技実行手段（主制御回路５０）と、を有し、
前記特定の条件には、前記当否判定の結果が当りであることが含まれ、
前記入球許容期間は、前記大当り遊技の実行中に設定されている。
【００４９】
本特徴に示す構成によれば、遊技者が大当り遊技中に特典を得る機会を逃すことが抑えられる。
【００５０】
［特徴Ａ３］
特徴Ａ２に記載の遊技機において、
遊技状態には、低確率状態（通常の遊技状態、低確率時短遊技）と、前記低確率状態よりも前記当否判定の結果が当りとなる確率が高く設定された高確率状態（高確率時短遊技）と、が設けられ、
前記特定入球部位への入球に起因して遊技者に付与される前記特典は、前記大当り遊技終了後の遊技状態を前記高確率状態にすることである。
【００５１】
本特徴に示す構成によれば、電断によって遊技者が大当り遊技終了後に高確率状態となる機会を逃すことが抑えられる。
【００５２】
［特徴Ａ４］
特徴Ａ１乃至Ａ３のうち何れか１に記載の遊技機において、
前記遊技領域には、隔離部材（表示装飾枠２３）によって前記特定の流下領域から隔離された別の流下領域（左側流下領域Ｒ２）が設けられると共に、
前記別の流下領域を流下する遊技球が入球可能であって、前記特定の流下領域を流下する遊技球が入球困難な別の入球部位（第１の始動入賞口１４Ａ）を有し、
前記特定の条件は、前記別の入球部位への遊技球の入球に起因して成立する。
【００５３】
本特徴に示す構成では、通常時に別の流下領域に遊技球を流下してきた遊技球が別の入球部位に入球したことに起因して特定の条件が成立すると、特定の流下領域に遊技球を流下させることを遊技者に推奨する。このように、本構成では、特定の流下領域が、通常時に流下させる別の流下領域とは異なるため、電断によって遊技者が特典を得る機会を逃す可能性が一層高くなるところ、電源復旧時に特定の流下領域に遊技球を流下させることを遊技者に推奨することで、電断による遊技者の不利益が抑えられる。
【００５４】
［特徴Ａ５］
遊技球が流下可能な遊技領域（遊技領域Ｒ１）のうち特定の流下領域（右側流下領域Ｒ３）を流下する遊技球が入球可能であって、その入球に起因して遊技者に特典を付与可能な特定入球部位（大入賞口１５、Ｖ入賞部２１）を有する遊技機（遊技機１０）であって、
当該遊技機が電断された場合、電源復旧時に前記特定の流下領域に遊技球を流下させることを遊技者に推奨する流下推奨手段（サブ制御回路５２）を有する。
【００５５】
本特徴に示す構成によれば、電断によって遊技者が特典を得る機会を逃すことが抑制可能となる。
【００５６】
［構成Ａ６］
表示部（表示画面１３Ｇ）と、
遊技球が流下可能な遊技領域（遊技領域Ｒ１）のうち特定の流下領域（右側流下領域Ｒ３）を流下する遊技球が入球可能であって、その入球に起因して遊技者に特典を付与可能な特定入球部位（大入賞口１５、Ｖ入賞部２１）と、
通常は、前記特定入球部位への入球を規制し、特定の条件（特別図柄当否判定で大当りになること）が成立したときに、予め定められた入球許容期間（大当り遊技の間、Ｖ入賞チャンスの間）の間だけ前記特定入球部位への入球を許容する入球制御部材（可動扉１５Ｔ、可動翼片２１Ｈ）と、
前記特定の条件が成立したときに、前記特定の流下領域に遊技球を流下させることを遊技者に推奨する流下推奨表示（右側流下推奨表示Ｈ１）を前記表示部に表示させる流下推奨手段（サブ制御回路５２）と、を有する遊技機（遊技機１０）であって、
前記流下推奨手段は、前記入球許容期間に当該遊技機が電断された場合には、電源復旧時に前記表示部に前記流下推奨表示を表示させる。
【００５７】
本特徴に示す構成によれば、電断によって遊技者が特典を得る機会を逃すことが抑制可能となる。
【００５８】
［構成Ａ７］
遊技球が流下可能な遊技領域（遊技領域Ｒ１）と、
前記遊技領域のうち第１の流下領域（左側流下領域Ｒ２）を流下する遊技球が入球可能な第１の入球部位（第１の始動入賞口１４Ａ）と、
前記遊技領域のうち第２の流下領域（右側流下領域Ｒ３）に設けられ、遊技球の入球に起因して遊技者に特典を付与可能な第２の入球部位（大入賞口１５、Ｖ入賞部２１）と、
通常は、前記第２の入球部位への入球を規制し、前記第１の入球部位への入球に起因して予め定められた入球許容期間（大当り遊技の間、Ｖ入賞チャンスの間）の間だけ前記第２の入球部位への入球を許容する入球制御部材（可動扉１５Ｔ、可動翼片２１Ｈ）と、を有し、
前記入球許容期間に、前記第２の流下領域に遊技球を流下させることを遊技者に推奨する流下推奨手段（サブ制御回路５２）と、を有する遊技機（遊技機１０）であって、
前記流下推奨手段は、前記入球許容期間に当該遊技機が電断された場合には、電源復旧時に、前記第２の流下領域に遊技球を流下させることを遊技者に推奨する。
【００５９】
本特徴に示す構成によれば、電断によって遊技者が特典を得る機会を逃すことが抑制可能となる。
【００６０】
［構成Ａ８］
表示部（表示画面１３Ｇ）と、
遊技球が流下可能な遊技領域（遊技領域Ｒ１）と、
前記遊技領域のうち第１の流下領域（左側流下領域Ｒ２）を流下する遊技球が入球可能な第１の入球部位（第１の始動入賞口１４Ａ）と、
前記遊技領域のうち第２の流下領域（右側流下領域Ｒ３）に設けられ、遊技球の入球に起因して遊技者に特典を付与可能な第２の入球部位（大入賞口１５、Ｖ入賞部２１）と、
通常は、前記第２の入球部位への入球を規制し、前記第１の入球部位への入球に起因して予め定められた入球許容期間（大当り遊技の間、Ｖ入賞チャンスの間）の間だけ前記第２の入球部位への入球を許容する入球制御部材（可動扉１５Ｔ、可動翼片２１Ｈ）と、を有し、
前記入球許容期間に、前記第２の流下領域に遊技球を流下させることを遊技者に推奨する流下推奨表示（右側流下推奨表示Ｈ１）を前記表示部に表示させる流下推奨手段（サブ制御回路５２）と、を有する遊技機（遊技機１０）であって、
前記流下推奨手段は、前記入球許容期間に当該遊技機が電断された場合には、電源復旧時に前記表示部に前記流下推奨表示を表示させる。
【００６１】
本特徴に示す構成によれば、電断によって遊技者が特典を得る機会を逃すことが抑制可能となる。
【００６２】
なお、特徴Ａ５〜特徴Ａ８に示す構成に、特徴Ａ２〜Ａ４に示す構成が組み合わされてもよい。
【符号の説明】
【００６３】
１０    遊技機
１３    表示装置
１３Ｇ    表示画面
１４Ａ    第１の始動入賞口
１５    大入賞口
２１    Ｖ入賞部
５０    主制御回路
５２    サブ制御回路
５４    表示制御回路
７０    電源装置
Ｈ１    右側流下推奨表示
Ｒ１    遊技領域
Ｒ２    左側流下領域
Ｒ３    右側流下領域
【図１】
2018139891.tif 000003
【図２】
2018139891.tif 000004
【図３】
2018139891.tif 000005
【図４】
2018139891.tif 000006
【図５】
2018139891.tif 000007
【図６】
2018139891.tif 000008
【図７】
2018139891.tif 000009
【図８】
2018139891.tif 000010